(57)【要約】【課題】電話機がリダイヤル機能やメモリー機能を有していなくても、過去にかけた電話に対する再ダイヤルを実現する。【解決手段】表示部４７３と、表示部４７３の表示制御を行う表示制御部１０１と、ユーザーからの操作入力を受け付ける操作受付部１０２と、再ダイヤルのための再ダイヤル情報を複数記憶可能な再ダイヤル情報記憶部１０６と、接続線Ｗ２を介して発信された電話番号を認識して再ダイヤル情報記憶部１０６に記憶させる第１電話番号認識部１０３と、オフフック検出部７３とを備え、表示制御部１０１は、オフフック検出部７３が電話機８１のオフフックを検出すると、再ダイヤル情報記憶部１０６に記憶されている電話番号のリストを表示部４７３に表示させ、更に、操作受付部１０２が受け付けたリストからユーザーが選択した電話番号を電話回線Ｌに発信する再ダイヤル実行部１０５を備える。【選択図】図２
2018019369.tif 000002
【特許請求の範囲】
【請求項１】
各種情報を表示する表示部と、
前記表示部の表示制御を行う表示制御部と、
ユーザーからの操作入力を受け付ける操作受付部と、
電話回線を接続するための回線側接続端子と、
本通信装置とは別体の電話機を本通信装置に接続するための電話機側接続端子と、
前記電話機側接続端子を前記電話回線に繋げるために、前記電話機側接続端子と前記回線側接続端子とを接続するための接続線と、
再ダイヤルのための再ダイヤル情報を複数記憶可能な再ダイヤル情報記憶部と、
前記電話機側接続端子に接続された電話機から前記接続線に発信された電話番号を認識し、認識した電話番号を前記再ダイヤル情報記憶部に記憶させる第１電話番号認識部と、
前記電話機のオフフックを検出するオフフック検出部と、を備えるとともに、
前記表示制御部は、前記オフフック検出部により前記電話機のオフフックが検出されると、前記再ダイヤル情報記憶部に記憶されている電話番号のリストを前記表示部に表示させ、
更に、前記操作受付部が受け付けた、前記表示部に表示されている前記リストからユーザーが選択した電話番号を、前記電話回線に発信する再ダイヤル実行部を備える通信装置。
【請求項２】
前記再ダイヤル情報記憶部は、記憶する電話番号の第１属性情報として、当該電話番号がファクシミリ送信に使用されたものであるか否かを示す使用目的情報を記憶し、
前記第１電話番号認識部は、前記認識した電話番号での通信中に、ファクシミリ送信が実行された場合、当該電話番号の使用目的がファクシミリ送信であるとした前記使用目的情報を前記再ダイヤル情報記憶部に記憶させ、一方、ファクシミリ送信が実行されなかった場合、当該電話番号の使用目的が通話であるとした前記使用目的情報を前記再ダイヤル情報記憶部に記憶させ、
前記表示制御部は、前記再ダイヤル情報記憶部に記憶されている電話番号に当該電話番号の使用目的が対応付けられた前記リストを前記表示部に表示させる請求項１に記載の通信装置。
【請求項３】
前記再ダイヤル情報記憶部は、記憶する電話番号の第２属性情報として、当該電話番号の発信元が前記電話機であるか否かを示す発信元情報を記憶し、
前記第１電話番号認識部は、前記認識した電話番号の発信元が前記電話機であるとした前記発信元情報を前記再ダイヤル情報記憶部に記憶させ、
更に、本通信装置本体から前記電話回線に発信された電話番号を認識し、認識した電話番号及び当該電話番号の発信元が前記本通信装置であるとした前記発信元情報を前記再ダイヤル情報記憶部に記憶させる第２電話番号認識部を備え、
前記表示制御部は、前記再ダイヤル情報記憶部に記憶されている電話番号のリストを発信元毎に作成し、これらリストを区別して前記表示部に表示させる請求項２に記載の通信装置。
【請求項４】
電話番号を含む電話帳情報を記憶する電話帳情報記憶部と、
前記第１電話番号認識部が認識した電話番号が、前記電話帳情報記憶部に登録されているか否かを判断する判断部と、を備え、
前記表示制御部は、前記判断部により、前記第１電話番号認識部が認識した電話番号が前記電話帳情報記憶部に登録されていないと判断された場合、当該電話番号を前記電話帳情報記憶部に登録するか否かを選択するための確認画面を前記表示部に表示させ、
更に、前記操作受付部が前記登録する旨の選択を受け付けた場合、当該電話番号を前記電話帳情報記憶部に登録する登録部を備える請求項１乃至請求項３のいずれかに記載の通信装置。
【請求項５】
前記第１電話番号認識部は、前記電話機側接続端子に接続された電話機から前記接続線に発信された番号間のインターバル時間を認識し、認識したインターバル時間情報を前記再ダイヤル情報記憶部に記憶させ、
前記再ダイヤル実行部は、前記再ダイヤル情報記憶部に記憶されている電話番号及びインターバル時間情報に基づいて、番号間の発信休止時間を設定する請求項１乃至請求項４のいずれかに記載の通信装置。
【発明の詳細な説明】
【技術分野】
【０００１】
本発明は、電話回線を利用して通信を行う通信装置に関し、特に、別体の電話機を接続して当該電話機による通信も可能とする通信装置に関する。
【背景技術】
【０００２】
電話回線に接続されて使用される、ファクシミリ機能を有した通信装置には、電話回線に接続するためのポート（回線側接続端子）が設けられ、このポートは通信装置に内蔵されたＮＣＵ（Network Control Unit）等に接続されている。また、通信装置には、電話機を接続するためのポート（電話機側接続端子）が設けられ、電話回線をファクシミリとしてだけでなく、通話用として使用できるようになっているものもある。
【０００３】
ファクシミリの送信方法には、自動送信と手動送信とがある。自動送信とは、相手先と通信回線が繋がると、ファクシミリ送信を自動的に開始する方法であり、手動送信とは、電話機を使って相手先と通信回線が繋がった後、通話で相手先を確認してから、ファクシミリ送信を開始する方法である。つまり、ファクシミリとして使用される場合であっても、手動送信のときには、電話機が使用されることになる。
【先行技術文献】
【特許文献】
【０００４】
【特許文献１】特開平１０−１２６４８５号公報
【特許文献２】特開２０１４−１２１０１７号公報
【発明の概要】
【発明が解決しようとする課題】
【０００５】
通信装置には、リダイヤル機能やメモリー機能を有したものがあり、例えば、上記の特許文献１，２には、ファクシミリ用の電話番号と通話用の電話番号とを紐付けして登録しておくというメモリー機能について記載されている。リダイヤル機能は、相手先の通話中などにより通信データを送信できなかったり、通話ができなかったりした場合に便利であり、メモリー機能は、頻繁にかける相手先が存在する場合に便利である。
【０００６】
ここで、通信装置に接続された電話機から電話等をした場合、その度に発信履歴は当該電話機に記憶される。しかしながら、通信装置に安価な電話機が接続される場合がある。安価な電話機の場合、ダイヤルキーしか装備されず、リダイヤル機能やメモリー機能を有していないことがある。そのため、過去に発信した電話番号であっても、最初からダイヤルキーを操作し直さなければならないことがあり、大変面倒であるし、誤入力が生じる可能性もある。
【０００７】
本発明は、上記の事情に鑑みなされたものであり、通信装置に接続して用いられる電話機がリダイヤル機能やメモリー機能を有していなくても、過去に発信した電話番号等に対する再ダイヤルを簡単に行うことを目的とする。
【課題を解決するための手段】
【０００８】
本発明の一局面に係る通信装置は、各種情報を表示する表示部と、前記表示部の表示制御を行う表示制御部と、ユーザーからの操作入力を受け付ける操作受付部と、電話回線を接続するための回線側接続端子と、本通信装置とは別体の電話機を本通信装置に接続するための電話機側接続端子と、前記電話機側接続端子を前記電話回線に繋げるために、前記電話機側接続端子と前記回線側接続端子とを接続するための接続線と、再ダイヤルのための再ダイヤル情報を複数記憶可能な再ダイヤル情報記憶部と、前記電話機側接続端子に接続された電話機から前記接続線に発信された電話番号を認識し、認識した電話番号を前記再ダイヤル情報記憶部に記憶させる第１電話番号認識部と、前記電話機のオフフックを検出するオフフック検出部と、を備えるとともに、前記表示制御部は、前記オフフック検出部により前記電話機のオフフックが検出されると、前記再ダイヤル情報記憶部に記憶されている電話番号のリストを前記表示部に表示させ、更に、前記操作受付部が受け付けた、前記表示部に表示されている前記リストからユーザーが選択した電話番号を、前記電話回線に発信する再ダイヤル実行部を備えるものである。
【発明の効果】
【０００９】
本発明によれば、電話機側接続端子に接続された電話機から接続線に発信された電話番号が再ダイヤル情報記憶部に記憶され、電話機のオフフックが検出されると、再ダイヤル情報記憶部に記憶されている電話番号のリストが表示部に表示され、リストからユーザーによって選択された電話番号が電話回線に発信される。従って、本発明によれば、電話機がリダイヤル機能やメモリー機能を有していなかったとしても、過去に発信した電話に対する再ダイヤルを簡単に行うことができる。
【図面の簡単な説明】
【００１０】
【図１】本発明の第１実施形態に係る通信装置としての画像形成装置の主要内部構成を概略的に示した機能ブロック図である。
【図２】第１実施形態に係る通信装置としての画像形成装置のファクシミリ通信部及び制御ユニットの主要内部構成を概略的に示した機能ブロック図である。
【図３】制御ユニットにおける処理動作の一例を示したフローチャートである。
【図４】（Ａ）は、電話機のダイヤルキーを使って電話が掛けられた場合に、電話機から接続線に発信される信号の一例を示した図であり、（Ｂ）は、再ダイヤル情報記憶部に記憶されるデータ構造の一例を示した図である。
【図５】（Ａ）は、電話機のダイヤルキーを使って電話が掛けられた場合に、電話機から接続線に発信される信号の一例を示した図であり、（Ｂ）は、再ダイヤル情報記憶部に記憶されるデータ構造の一例を示した図である。
【図６】（Ａ）は、電話機のダイヤルキーを使って電話が掛けられた場合に、電話機から接続線に発信される信号の一例を示した図であり、（Ｂ）は、再ダイヤル情報記憶部に記憶されるデータ構造の一例を示した図である。
【図７】制御ユニットにおける処理動作の一例を示した図である。
【図８】表示画面の一例を示した図である。
【図９】（Ａ）〜（Ｃ）は、ダイヤル情報の一例を示した図である。
【図１０】（Ａ）〜（Ｃ）は、表示画面の一例を示した図である。
【図１１】表示画面の一例を示した図である。
【図１２】ダイヤル情報の一例を示した図である。
【図１３】第２実施形態に係る通信装置としての画像形成装置のファクシミリ通信部及び制御ユニットの主要内部構成を概略的に示した機能ブロック図である。
【発明を実施するための形態】
【００１１】
以下、本発明の一実施形態に係る通信装置について図面を参照して説明する。図１は、本発明の第１実施形態に係る通信装置としての画像形成装置の主要内部構成を概略的に示した機能ブロック図である。画像形成装置１は、例えば、コピー機能、プリンター機能、スキャナー機能、及びファクシミリ機能のような複数の機能を兼ね備えた複合機であり、制御ユニット１０、原稿給送部６、原稿読取部５、画像形成部１２、画像メモリー３２、ＨＤＤ（Ｈａｒｄ  Ｄｉｓｋ  Ｄｒｉｖｅ）９２、定着部１３、給紙部１４、操作部４７、及びファクシミリ通信部７１を含んで構成されている。
【００１２】
原稿給送部６は、読取対象の原稿を原稿読取部５へ給送する。原稿読取部５は、制御ユニット１０を構成する制御部１００による制御の下、光照射部を使って原稿を照射し、その反射光を受光することによって、原稿から画像を読み取る。原稿読取部５による当該原稿読取で得られた画像データは画像メモリー３２に記憶される。
【００１３】
画像形成部１２は、印刷すべき画像のトナー像を用紙上に形成する。画像メモリー３２は、原稿読取部５による読み取りで得られた原稿の画像データを一時的に記憶したり、画像形成部１２のプリント対象となるデータを一時的に保存したりするための領域である。
【００１４】
ＨＤＤ９２は、原稿読取部５によって読み取られた原稿画像等を記憶する大容量の記憶装置である。定着部１３は、用紙上のトナー像を、熱圧着により用紙に定着させる。給紙部１４は、給紙カセットに収容された用紙をピックアップして搬送する。
【００１５】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００１６】
ファクシミリ通信部７１は、図示しない符号化・複合化部、変復調部、及びＮＣＵ等を備え、公衆電話回線網を用いてのファクシミリの通信を行うものである。
【００１７】
制御ユニット１０は、プロセッサー、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、及び専用のハードウェア回路を含んで構成される。プロセッサーは、例えばＣＰＵ（Ｃｅｎｔｒａｌ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、又はＭＰＵ（Ｍｉｃｒｏ−ｐｒｏｃｅｓｓｉｎｇ  ｕｎｉｔ）等である。制御ユニット１０は、画像形成装置１の全体的な動作制御を司る制御部１００と、表示制御部１０１と、操作受付部１０２と、第１電話番号認識部１０３と、第２電話番号認識部１０４と、再ダイヤル実行部１０５と、再ダイヤル情報記憶部１０６と、を備えている。
【００１８】
制御ユニット１０は、上記プロセッサーによる、ＨＤＤ９２にインストールされている制御プログラムに従った動作により、制御部１００、表示制御部１０１、操作受付部１０２、第１電話番号認識部１０３、第２電話番号認識部１０４、再ダイヤル実行部１０５、及び再ダイヤル情報記憶部１０６として機能するものである。但し、制御部１００等は、上記プロセッサーによるによる制御プログラムに従った動作によらず、それぞれハードウェア回路により構成することも可能である。以下、特に触れない限り、各実施形態について同様である。
【００１９】
制御部１００は、原稿給送部６、原稿読取部５、画像形成部１２、画像メモリー３２、ＨＤＤ９２、定着部１３、給紙部１４、操作部４７、ファクシミリ通信部７１、及びファクシミリ通信部７１を介して電話機８１と接続され、これら各部の駆動制御を行う。なお、表示制御部１０１、操作受付部１０２、第１電話番号認識部１０３、第２電話番号認識部１０４、再ダイヤル実行部１０５、及び再ダイヤル情報記憶部１０６については、図２を用いて後で詳しく説明する。
【００２０】
図２は、ファクシミリ通信部７１及び制御ユニット１０の主要内部構成を概略的に示した機能ブロック図である。なお、図１に示した画像形成装置１と同様の構成部分については同符号を付し、ここではその詳しい説明を省略する。
【００２１】
ファクシミリ通信部７１は、ＮＣＵ（Ｎｅｔｗｏｒｋ  Ｃｏｎｔｒｏｌ  Ｕｎｉｔ）７２と、電話機８１のオフフックを検出するオフフック検出部７３とを備えている。また、ファクシミリ通信部７１には、交換機８０と繋げられている電話回線Ｌを接続するための回線側接続端子Ｐ１と、電話機８１を接続するための電話機側接続端子Ｐ２とが形成されている。回線側接続端子Ｐ１は接続線Ｗ１を介してＮＣＵ７２と接続され、電話機側接続端子Ｐ２は接続線Ｗ２を介して接続線Ｗ１（回線側接続端子Ｐ１）と接続されている。
【００２２】
オフフック検出部７３は、電話機側接続端子Ｐ２及び接続線Ｗ２を介して電話機８１の発信音を取得して、当該発信音の変化に基づいて、既知の方法により電話機８１のオフフックを検出する。
【００２３】
ＮＣＵ７２は、公衆電話回線のダイヤル信号を送受信する等、電話回線を制御する装置である。ＮＣＵ７２は、交換機に対して接続の開始や切断、接続相手の電話番号などの通知を行う。
【００２４】
接続線Ｗ２には、接続線Ｗ２を遮断するためのリレー７４が設けられている。リレー７４は、電話機８１と交換機８０とを接続したり、切断したりするために設けられ、制御ユニット１０によってオン・オフが制御される。例えば、電話回線Ｌを用いたファクシミリ通信が行われる時、電話機８１からのノイズが通信データに入らないようにリレー７４はオフされる。
【００２５】
操作部４７は、表示部４７３と、電話番号を入力するダイヤルキー４７４を備えている。
【００２６】
制御ユニット１０を構成する再ダイヤル情報記憶部１０６は、電話機８１等から発信された電話番号を含む、再ダイヤルのための再ダイヤル情報を複数回数分記憶可能（例えば、過去１０回分や２０回分）に構成されている。
【００２７】
再ダイヤル情報には、電話機８１等から電話回線Ｌに発信された電話番号と後述するインターバル時間情報の他に、当該電話番号の第１属性情報として、当該電話番号がファクシミリ送信に使用されたものか、又は通話に使用されたものかを示す使用目的情報や、当該電話番号の第２属性情報として、当該電話番号の発信元が電話機８１であるのか、又は画像形成装置１本体であるのかを示す発信元情報が含まれる。
【００２８】
表示制御部１０１は、表示部４７３の表示制御を行うものであり、表示制御部１０１は、例えば、オフフック検出部７３により電話機８１のオフフックが検出されると、再ダイヤル情報記憶部１０６に記憶されている電話番号のリスト（図８）を表示部４７３に表示させる。
【００２９】
操作受付部１０２は、ユーザーからの操作入力を受け付ける。
【００３０】
第１電話番号認識部１０３は、電話機８１から接続線Ｗ２を介して発信された電話番号を認識し、認識した電話番号を再ダイヤル情報記憶部１０６に記憶させる。電話機８１が接続線Ｗ２を介して電話発信した場合、ＮＣＵ７２は、この電話発信に用いられた電話番号及び当該電話発信に関する各種の情報を含むデータを第１電話番号認識部１０３に出力する。これにより、第１電話番号認識部１０３は、電話機８１が発信した電話番号を認識可能となる。
【００３１】
また、第１電話番号認識部１０３は、ＮＣＵ７２から出力される上記電話番号を含むデータに基づいて、電話機８１から接続線Ｗ２を介して発信された電話番号及び番号間のインターバル時間を認識し、認識した電話番号及びインターバル時間情報を再ダイヤル情報記憶部１０６に記憶させる。さらに、第１電話番号認識部１０３は、認識した当該電話番号の発信元が電話機８１であることを示す発信元情報を再ダイヤル情報記憶部１０６に記憶させる。ここで、インターバル時間とは、１つの番号が発信された時点から次の番号が発信された時点までの時間である。
【００３２】
第２電話番号認識部１０４は、電話機８１ではなく画像形成装置１から電話回線に発信された電話番号を認識し、認識した電話番号及び当該電話番号の発信元が、電話機８１ではなく画像形成装置１自体であることを示す発信元情報を再ダイヤル情報記憶部１０６に記憶させる。
【００３３】
また、第２電話番号認識部１０４は、操作部４７の操作によってファクシミリ通信部７１に送信されたデータに基づいて、画像形成装置１から接続線Ｗ１を介して電話番号及び番号間のインターバル時間を認識し、認識した電話番号及びインターバル時間情報を再ダイヤル情報記憶部１０６に記憶させる。さらに、第２電話番号認識部１０４は、認識した当該電話番号の発信元が電話機８１ではなく、画像形成装置１であることを示す発信元情報を再ダイヤル情報記憶部１０６に記憶させる。
【００３４】
再ダイヤル実行部１０５は、操作受付部１０２が受け付けた、表示部４７３に表示されているリストからユーザーが選択した電話番号を、再ダイヤル情報記憶部１０６に記憶されている再ダイヤル情報から読み出して、ファクシミリ通信部７１（ＮＣＵ７２）を介して再ダイヤルを実行する。
【００３５】
次に、制御ユニット１０で行われる処理動作の一例について、図３に示したフローチャートに基づいて説明する。なお、この処理動作は、オフフック検出部７３により電話機８１のオフフックが検出された後、電話機８１から接続線Ｗ２へ信号が発信された（すなわち、電話機８１のダイヤルキーが操作された）と第１電話番号認識部１０３が判断した場合に行われる処理動作である。
【００３６】
第１電話番号認識部１０３は、電話機８１から接続線Ｗ２を介して発信される信号（番号）をＮＣＵ７２を介して認識し、認識した番号を再ダイヤル情報記憶部１０６に記憶させる（Ｓ１）。第１電話番号認識部１０３は、番号間のインターバル時間（１つの番号が発信された時点から次の番号が発信された時点までの時間）の計測を開始する（Ｓ２）。
【００３７】
第１電話番号認識部１０３は、電話機８１から接続線Ｗ２を介して新たな信号（番号）が発信されたか否かを判断する（Ｓ３）。第１電話番号認識部１０３は、電話機８１から接続線Ｗ２に新たな信号（番号）が発信されたと判断すれば（Ｓ３でＹＥＳ）、番号間のインターバル時間情報を再ダイヤル情報記憶部１０６に記憶させるとともに（Ｓ４）、電話機８１から接続線Ｗ２を介して発信された番号を認識し、認識した番号を再ダイヤル情報記憶部１０６に記憶させる（Ｓ１）。
【００３８】
一方、第１電話番号認識部１０３は、電話機８１から接続線Ｗ２を介して新たな信号（番号）が発信されていない（途絶えた）と判断すれば（Ｓ３でＮＯ）、制御部１００によりファクシミリ送信が実行されたか否かを判断する（Ｓ５）。
【００３９】
第１電話番号認識部１０３は、制御部１００がファクシミリ送信を実行した（すなわち、ユーザーからファクシミリ送信の指示があった）と判断すれば（Ｓ５でＹＥＳ）、電話機８１から接続線Ｗ２を介して発信された電話番号の使用目的がファクシミリ送信であることを示す、当該電話番号の使用目的情報を再ダイヤル情報記憶部１０６に記憶させるとともに（Ｓ６）、当該電話番号の発信元が電話機８１であるとした発信元情報を再ダイヤル情報記憶部１０６に記憶させる（Ｓ７）。
【００４０】
一方、第１電話番号認識部１０３は、制御部１００がファクシミリ送信を実行していないと判断すれば（Ｓ５でＮＯ）、第１電話番号認識部１０３は、オフフック検出部７３により電話機８１のオンフックが検出されたか否かを判断する（Ｓ８）。
【００４１】
第１電話番号認識部１０３は、電話機８１のオンフックが検出されたと判断すれば（Ｓ８でＹＥＳ）、ファクシミリ送信が実行されないまま、電話機８１がオンフックされたことになるので、電話機８１から接続線Ｗ２を介して発信された電話番号の使用目的が通話であることを示す、当該電話番号の使用目的情報を再ダイヤル情報記憶部１０６に記憶させるとともに（Ｓ９）、当該電話番号の発信元が電話機８１であるとした発信元情報を再ダイヤル情報記憶部１０６に記憶させる（Ｓ７）。
【００４２】
一方、第１電話番号認識部１０３は、電話機８１のオンフックが検出されてないと判断したときは（Ｓ８でＮＯ）、例えば制御ユニット１０に内蔵されるタイマーによりカウントされている、最終の信号（番号）発信からの経過時間が予め定められた時間（ＮＣＵ７２が時間切れにより電話通信を遮断するまでの猶予期間。例えば、１０秒）に達したかを判断する（Ｓ２５）。第１電話番号認識部１０３が、当該経過時間が予め定められた時間に達していると判断されるまでは（Ｓ２５でＮＯ）、処理はＳ５に戻る。第１電話番号認識部１０３が、当該経過時間が予め定められた時間に達したと判断したときは（Ｓ２５でＹＥＳ）、Ｓ９が行われることなく処理が終了する。
【００４３】
これにより、第１電話番号認識部１０３は、電話機８１から接続線Ｗ２を介して発信された全ての信号（番号）及び各番号間のインターバル時間を全て認識して再ダイヤル情報記憶部１０６に記憶させ、さらに使用目的情報及び発信元情報についても再ダイヤル情報記憶部１０６に記憶させる。
【００４４】
図４（Ａ）〜図６（Ａ）は、電話機８１のダイヤルキーを使って電話が掛けられた場合に、電話機８１から接続線Ｗ２に発信される信号の一例を示した図であり、図４（Ｂ）〜図６（Ｂ）は、再ダイヤル情報記憶部１０６に記憶されるデータ構造の一例を示した図である。
【００４５】
図４（Ａ）には、相手先の電話番号「１２３４５６７８９０」が発信されていること、そして各番号間のインターバル時間が示されている。図４（Ｂ）は、図４（Ａ）に示した信号が接続線Ｗ２を介して発信された場合に、再ダイヤル情報記憶部１０６に記憶されるデータ構造を示している。
【００４６】
図５（Ａ）には、日本国内での国際電話の識別番号「０１０」、アメリカの国番号「１」、及び相手先の電話番号「１２３４５６７８９０」が発信されていること、そして各番号間のインターバル時間が示され、国番号と相手先の電話番号との間に比較的長いインターバル時間「４．２秒」が設けられていることが分かる。図５（Ｂ）は、図５（Ａ）に示した信号が接続線Ｗ２を介して発信された場合に、再ダイヤル情報記憶部１０６に記憶されるデータ構造を示している。
【００４７】
海外への電話など、番号間にポーズ（３秒前後）の挿入が必要な場合、ユーザーは意図的に３秒程度の時間を空けて次の番号を押す。そのため、ポーズの挿入が必要な場合のインターバル時間は、通常のインターバル時間よりも長く、両者には明らかな時間差があり、区別が可能である。
【００４８】
換言すれば、番号間のインターバル時間の長さから、当該番号間にポーズの挿入が必要であるか否かを判断することができる。例えば、図５（Ｂ）に示した再ダイヤル情報記憶部１０６に記憶されているデータから、インターバル時間の長い４桁目の番号「１」と５桁目の番号「１」との間にポーズの挿入が必要であると判断することができる。
【００４９】
図６（Ａ）には、国際電話サービスを受けるためのアクセス番号「０９８７６５４３２１」、中国の国番号「８６」、及び相手先の電話番号「１２３４５６７８９０」が発信されていること、そして各番号間のインターバル時間が示され、アクセス番号と国番号との間に長いインターバル時間「１０．２秒」が設けられ、国番号と相手先の電話番号との間にも比較的長いインターバル時間「３．９秒」が設けられていることが分かる。図６（Ｂ）は、図６（Ａ）に示した信号が接続線Ｗ２を介して発信された場合に、再ダイヤル情報記憶部１０６に記憶されるデータ構造を示している。
【００５０】
次に、制御ユニット１０で行われる処理動作の一例について、図７に示すフローチャートに基づいて説明する。なお、この処理動作は、オフフック検出部７３により電話機８１のオフフックが検出されたと表示制御部１０１が判断した場合に、図３に示した処理と並行して行われる処理動作である。
【００５１】
オフフックが検出されたとき、表示制御部１０１は、再ダイヤル情報記憶部１０６に記憶されている再ダイヤル情報を読み出し（Ｓ１１）、表示制御部１０１は、読み出した再ダイヤル情報に含まれる電話番号のリストを発信元毎に、さらに発信元が電話機８１の電話番号については使用目的が対応付けられたリストを作成し（Ｓ１２）、表示制御部１０１は、作成した電話番号のリストを発信元毎に区別して表示部４７３に表示させる（Ｓ１３）。図８は、表示部４７３に表示されるリストの一例を示した図である。
【００５２】
続いて、再ダイヤル実行部１０５が、操作受付部１０２が表示部４７３に表示されているリストから電話番号に対するユーザーの選択を受け付けたか否かを判断し（Ｓ１４）、再ダイヤル実行部１０５が、操作受付部１０２が当該リストから電話番号に対するユーザーの選択を受け付けたと判断すれば（Ｓ１４でＹＥＳ）、再ダイヤル実行部１０５は、再ダイヤル情報記憶部１０６に記憶されている電話番号及びインターバル時間情報に基づいて、操作受付部１０２が受け付けたユーザーが選択した電話番号に対する各番号間の発信休止時間を設定し、電話回線Ｌに発信するダイヤル情報を作成する（Ｓ１５）。各番号間の発信休止時間の設定方法を、以下のケース１〜ケース３に分けて説明する。
【００５３】
《ケース１》番号間のインターバル時間が時間Ｔ１（例えば、２秒）以下である場合、ポーズの挿入が不要なので、再ダイヤル実行部１０５は、当該番号間の発信休止時間を、ミニマムポーズに準じた発信休止時間ＴＰ１（例えば、３０ｍ秒）に設定する。ミニマムポーズは、番号間の発信休止時間の最小値である。番号間の発信休止時間が短すぎると、交換機８０が番号と番号との切れ目を判別できなくなるため、ミニマムポーズは端末設備等規則により３０ｍ秒に規定されている。
【００５４】
ユーザーがダイヤルした実際のインターバル時間をそのまま再現すると、全体のダイヤル時間が長くなり、ユーザーが不快に思うおそれがあるが、上記ケース１に示したように、番号間へのポーズの挿入が不要な場合には、当該番号間の発信休止時間がミニマムポーズに準じた長さに設定されるので、無駄にダイヤル時間が長くならないようにし、ユーザーが不快に思うのを防ぐことができる。
【００５５】
《ケース２》番号間のインターバル時間が時間Ｔ１より長く、時間Ｔ２（例えば、５秒）以下である場合、再ダイヤル実行部１０５は、当該番号間の発信休止時間を、ポーズを挿入するための適正な発信休止時間ＴＰ２（例えば、３秒）に設定する。海外へ電話する場合など、番号間にポーズの挿入が必要なときに、それに対応することができる。
【００５６】
《ケース３》番号間のインターバル時間が時間Ｔ２よりも長い場合、再ダイヤル実行部１０５は、当該番号間の発信休止時間を、当該インターバル時間と同じ長さに設定する。電話回線が開いた後、音声ガイダンスが流れ、対話形式で番号を発信する場合など、発信休止時間ＴＰ２よりも長い発信休止時間が必要なときに、それに対応することができる。
【００５７】
図９（Ａ）〜（Ｃ）は、作成されるダイヤル情報の一例を示しており、図４（Ｂ）、図５（Ｂ）、図６（Ｂ）に示した再ダイヤル情報が再ダイヤル情報記憶部１０６に記憶されている場合に作成されるダイヤル情報である。
【００５８】
図４（Ｂ）に示した再ダイヤル情報が再ダイヤル情報記憶部１０６に記憶されている場合、番号間のインターバル時間はすべて時間Ｔ１以下であるので、番号間の発信休止時間はすべて発信休止時間ＴＰ１に設定され、図９（Ａ）に示したようなダイヤル情報が作成される。
【００５９】
また、図５（Ｂ）に示した再ダイヤル情報が再ダイヤル情報記憶部１０６に記憶されている場合、４桁目の番号「１」と５桁目の番号「１」との番号間のインターバル時間が時間Ｔ１よりも長く、時間Ｔ２以下であるので、当該番号間の発信休止時間が発信休止時間ＴＰ２に設定され、その他の番号間の発信休止時間は発信休止時間ＴＰ１に設定され、図９（Ｂ）に示したようなダイヤル情報が作成される。
【００６０】
また、図６（Ｂ）に示した再ダイヤル情報が再ダイヤル情報記憶部１０６に記憶されている場合、１０桁目の番号「１」と１１桁目の番号「８」との番号間のインターバル時間が時間Ｔ２よりも長いので、当該番号間の発信休止時間は当該インターバル時間と同じ長さに設定され、１２桁目の番号「６」と１３桁目の番号「１」との番号間のインターバル時間が時間Ｔ１よりも長く、時間Ｔ２以下であるので、当該番号間の発信休止時間は発信休止時間ＴＰ２に設定され、その他の番号間の発信休止時間は発信休止時間Ｔ１に設定され、図９（Ｃ）に示したようなダイヤル情報が作成される。
【００６１】
再ダイヤル実行部１０５が、ダイヤル情報を作成した後、表示制御部１０１が、作成したダイヤル情報を表示部４７３に表示する（Ｓ１６）。例えば、図９（Ａ）に示したようなダイヤル情報が作成された場合には、図１０（Ａ）に示したようなダイヤル情報「１２３４５６７８９０」を表示制御部１０１が表示部４７３に表示させる。これにより、ユーザーは再ダイヤル番号を確認することができる。また、表示制御部１０１は、ダイヤル情報と合わせて、再ダイヤルをユーザーが指示するための「実行」と記された選択ボタンＢ１を表示部４７３に表示させる。
【００６２】
また、図９（Ｂ）に示したようなダイヤル情報が作成された場合には、図１０（Ｂ）に示したような、４桁目の番号「１」と５桁目の番号「１」との間にポーズ時間を示す符号「Ｐ」が挿入されたダイヤル情報「０１０１Ｐ１２３４５６７８９０」を表示制御部１０１が表示部４７３に表示させる。
【００６３】
また、図９（Ｃ）に示したようなダイヤル情報が作成された場合には、図１０（Ｃ）に示したような、１０桁目の番号「１」と１１桁目の番号「８」との間に長いポーズ時間を示す符号「＊」が挿入され、１２桁目の番号「６」と１３桁目の番号「１」との間に、ポーズ時間を示す符号「Ｐ」が挿入されたダイヤル情報「０９８７６５４３２１＊８６Ｐ１２３４５６７８９０」を表示制御部１０１が表示部４７３に表示させる。
【００６４】
再ダイヤル実行部１０５は、表示制御部１０１がダイヤル情報を表示部４７３に表示した後、操作受付部１０２が「実行」と記された選択ボタンＢ１の押下を受け付けたか否かを判断し（Ｓ１７）、再ダイヤル実行部１０５が、操作受付部１０２が選択ボタンＢ１の押下を受け付け、電話機８１を用いた再ダイヤルがユーザーから指示されたと判断すれば（Ｓ１７でＹＥＳ）、再ダイヤル実行部１０５は、作成したダイヤル情報に基づいて、ＮＣＵ７２により、電話番号を接続線Ｗ１（電話回線Ｌ）に発信する（Ｓ１８）。例えば、図９（Ａ）に示したようなダイヤル情報が作成された場合には、番号間に休止時間３０ｍ秒を設けて、１０桁の電話番号「１２３４５６７８９０」を発信する。
【００６５】
一方、再ダイヤル実行部１０５が、操作受付部１０２が選択ボタンＢ１の押下を受け付けていないと判断すれば（Ｓ１７でＮＯ）、再ダイヤル実行部１０５は、電話機８１のダイヤルキーが操作されたか否かを判断する（Ｓ１９）。
【００６６】
再ダイヤル実行部１０５が、電話機８１のダイヤルキーが操作されたと判断すれば（Ｓ１９でＹＥＳ）、表示制御部１０１は、ダイヤル情報を表示部４７３から消去し（Ｓ２０）その後、この処理動作を終了する。一方、再ダイヤル実行部１０５が、電話機８１のダイヤルキーが操作されてないと判断すれば（Ｓ１９でＮＯ）、Ｓ１７へ戻る。
【００６７】
また、Ｓ１４において、再ダイヤル実行部１０５が、操作受付部１０２が当該リストから電話番号に対するユーザーの選択を受け付けていないと判断すれば（Ｓ１４でＮＯ）、再ダイヤル実行部１０５が、電話機８１のダイヤルキーが操作されたか否かを判断する（Ｓ２１）。
【００６８】
再ダイヤル実行部１０５が、電話機８１のダイヤルキーが操作されたと判断すれば（Ｓ２１でＹＥＳ）、表示制御部１０１は、当該リストを表示部４７３から消去し（Ｓ２２）、その後、この処理動作を終了する。一方、再ダイヤル実行部１０５が、電話機８１のダイヤルキーが操作されてないと判断すれば（Ｓ２１でＮＯ）、Ｓ１４へ戻る。
【００６９】
上記実施形態によれば、電話機側接続端子Ｐ２に接続された電話機８１から接続線Ｗ２を介して発信された電話番号が再ダイヤル情報記憶部１０６に記憶され、電話機８１のオフフックが検出されると、再ダイヤル情報記憶部１０６に記憶されている電話番号のリストが表示部４７３に表示され、リストからユーザーによって選択された電話番号が電話回線Ｌに発信される。従って、電話機８１がリダイヤル機能やメモリー機能を有していなかったとしても、過去にかけた電話に対する再ダイヤルを実現することができる。
【００７０】
外付けの電話機８１を使って電話番号を発信するのは、通常の通話目的での場合と、ファクシミリの手動送信を行う場合とに分けられる。そのため、電話機８１から過去に発信された電話番号についても、使用目的は２種類存在する。表示部４７３に表示されるリストには、当該使用目的も合わせて表示されている。従って、電話番号の使用目的をユーザーが把握できるので、ユーザーの誤った使用を防ぎ、利便性を向上させることができる。また、発信元についても区別できるように表示されるので、更なる利便性の向上を図ることができる。
【００７１】
また、再ダイヤル情報記憶部１０６は電話機８１ではなく、画像形成装置１本体に設けられているので、外付けである電話機８１に故障が生じ、取り換えるという事態が生じたとしても、電話機８１で再ダイヤル情報を記憶している訳ではないので、取り換え後も、取り換え前と同様に、過去にかけた電話に対する再ダイヤルを実現することができる。
【００７２】
なお、上記実施形態では、インターバル時間情報に基づいて、各番号間の発信休止時間を設定する場合について説明しているが、別の実施形態では、実際のインターバル時間をそのまま再現しても良い。その場合、全体のダイヤル時間が長くなるが、制御ユニット１０における処理を単純化させることができ、製品化が容易になる。
【００７３】
また、さらに別の実施形態では、番号間のインターバル時間が時間Ｔ２よりも長いものが存在し、再ダイヤル情報記憶部１０６に記憶されている再ダイヤル情報が図６（Ｂ）に示したようなものである場合、表示制御部１０１が、当該番号間の発信休止時間を当該インターバル時間と同じ時間に設定するか否かの確認をユーザーに求めるメッセージを表示部４７３に表示させ、再ダイヤル実行部１０５が、操作受付部１０２が当該設定をユーザーが求めていないことを示す指示を受け付けたと判断したときは、当該番号間の発信休止時間を、当該インターバル時間と同じ時間に設定するのではなく、発信休止時間ＴＰ２に設定するようにしても良い。
【００７４】
例えば、表示制御部１０１が、図１１に示したような選択ボタンＢ２が形成された表示画面を表示部４７３に表示し、当該番号間の発信休止時間を、当該インターバル時間と同じ時間ではなく、発信休止時間ＴＰ２に設定するか否かの確認をユーザーに求める。再ダイヤル実行部１０５は、操作受付部１０２が選択ボタンＢ１の押下を受け付けたと判断すると、当該番号間の発信休止時間を発信休止時間Ｔ２に設定する。音声ガイダンスが流れる対話形式のものであったとしても、３秒程度のポーズを設ければ十分な場合があり、それに対応可能となる。図１２は、この場合に作成されるダイヤル情報を示した図であり、図９（Ｃ）とは、１０桁目の番号「１」と１１桁目の番号「８」との発信休止時間が「３秒」である点で相違している。
【００７５】
図１３は、第２実施形態に係る通信装置としての画像形成装置のファクシミリ通信部及び制御ユニットの主要内部構成を概略的に示した機能ブロック図である。第２実施形態は、判断部１０７、登録部１０８、及び電話帳情報記憶部１０９を備える点で、第１実施形態とは相違する。
【００７６】
電話帳情報記憶部１０９は、電話番号を含む電話帳情報を記憶するものである。
【００７７】
判断部１０７は、第１電話番号認識部１０３が認識した電話番号が、電話帳情報記憶部１０９に登録されているか否かを判断し、表示制御部１０１は、判断部１０７により、第１電話番号認識部１０３が認識した電話番号が電話帳情報記憶部１０９に登録されていないと判断された場合、当該電話番号を電話帳情報記憶部１０９に登録するか否かを選択するための確認画面を表示部４７３に表示させる。
【００７８】
登録部１０８は、操作受付部１０２が登録する旨の選択を受け付けた場合、当該電話番号を電話帳情報記憶部１０９に登録する。
【００７９】
一般的に、画像形成装置１に設けられた電話帳情報記憶部１０９への電話番号登録は、操作部４７から予め定められた作業手順を行うようになっている。従って、外付けの電話機８１で通話した後に、通話先の電話番号を電話帳情報記憶部１０９に登録しようとした場合、従来においては操作部４７のダイヤルキー４７４で電話番号を再度入力して、登録作業を行う必要があり、手間となっていた。
【００８０】
当該第２実施形態では、外付けの電話機８１から発信した電話番号を、再ダイヤルに使用する履歴として再ダイヤル情報記憶部１０６に記憶させるだけでなく、電話帳情報記憶部１０９に登録可能とすることで、登録作業の手間を省き、利便性を向上させることができる。
【００８１】
また、上記実施形態では、安価な電話機８１を想定しているため、画像形成装置１本体に表示部４７３、表示制御部１０１、操作受付部１０２、第１電話番号認識部１０３、第２電話番号認識部１０４、再ダイヤル実行部１０５、及び再ダイヤル情報記憶部１０６を備える場合について説明しているが、別の実施形態では、電話機８１に表示部４７３、表示制御部１０１、操作受付部１０２、第１電話番号認識部１０３、第２電話番号認識部１０４、再ダイヤル実行部１０５、及び再ダイヤル情報記憶部１０６を設けて、電話機８１に設けた表示部４７３に再ダイヤル情報を示したリストを表示して再ダイヤルの実行を実現するようにしても良い。なお、電話機８１から発信された電話番号がファクシミリ送信に使用されたか否かは、リレー７４のオン・オフ状態から判別できるので、第１電話番号認識部１０３が、リレー７４のオン・オフ状態を検知できるようにすれば、電話機８１でも当該電話番号がファクシミリ送信に使用されたか否かを判断することができる。
【００８２】
本発明は上記実施の形態の構成に限られず種々の変形が可能である。また、上記実施形態では、本発明に係る通信装置の一実施形態として画像形成装置の複合機を用いて説明しているが、これは一例に過ぎず、他の電子機器でもよい。
【００８３】
また、上記実施形態では、図１乃至図１３を用いて上記実施形態により示した構成及び処理は、本発明の一実施形態に過ぎず、本発明を当該構成及び処理に限定する趣旨ではない。
【符号の説明】
【００８４】
１          画像形成装置
１０        制御ユニット
４７        操作部
７１        ファクシミリ通信部
７３        オフフック検出部
８１        電話機
１００      制御部
１０１      表示制御部
１０２      操作受付部
１０３      第１電話番号認識部
１０４      第２電話番号認識部
１０５      再ダイヤル実行部
１０６      再ダイヤル情報記憶部
１０７      判断部
１０８      登録部
１０９      電話帳情報記憶部
Ｌ          電話回線
Ｐ１        回線側接続端子
Ｐ２        電話機側接続端子
Ｗ１，Ｗ２  接続線
【図１】
2018019369.tif 000003
【図２】
2018019369.tif 000004
【図３】
2018019369.tif 000005
【図４】
2018019369.tif 000006
【図５】
2018019369.tif 000007
【図６】
2018019369.tif 000008
【図７】
2018019369.tif 000009
【図８】
2018019369.tif 000010
【図９】
2018019369.tif 000011
【図１０】
2018019369.tif 000012
【図１１】
2018019369.tif 000013
【図１２】
2018019369.tif 000014
【図１３】
2018019369.tif 000015